(57)【要約】      （修正有）【課題】果肉が混入しにくく、果汁を別容器に貯留させる必要がない果汁搾出用容器を提供する。【解決手段】柔軟な弾性材で一体成形することにより底壁２と周壁３を備えた上部開口状のカップ容器１である。切断された果実１４の切断面１４ａを底壁２に向けてカップ容器１に挿入した状態で、周壁３にクビレ状に形成された中間壁６を外部から押圧して弾性変形させると、果実から搾り出された果汁は、中高状に湾曲形成された底壁２に周設された環状凹部２ａに貯留される。ユーザが把手を把持することによりカップ容器１を傾けると、果汁が環状凹部２ａに沿って樋状溝に向けて集められ、樋状溝をガイドとして嘴部に向けて案内され、注ぎ出される。【選択図】図３
0003155977.tif 000002
【実用新案登録請求の範囲】
【請求項１】
柔軟な弾性材で一体成形することにより底壁(2)と周壁(3)を備えた上部開口状のカップ容器(1)であり、底壁(2)の内径Ｄ１と上部開口部(4)の内径Ｄ２に対して、前記周壁(3)の高さ方向の中間部に位置する中間壁(6)の内径Ｄ３をＤ３＜Ｄ１かつＤ３＜Ｄ２となるように形成すると共に、該中間壁(6)を底壁と上部開口部に向けて湾曲形成し、
前記中間壁(6)は、横断面に関して、外側に折曲された山折り部(7)と、内側に折曲された谷折り部(8)を、周方向に交互に配列した蛇腹壁(9)を形成することにより、前記内径Ｄ３を弾性的に拡径自在とするように構成され、
前記底壁(2)の内面は、中心部が高くなる中高状に湾曲形成され、該中心部の周囲に環状凹部(2a)を形成しており、
切断された果実(14)の切断面(14a)を前記底壁(2)に向けて、前記中間壁(6)の拡径を介して、カップ容器(1)に挿入した状態で、前記中間壁(6)を外部から押圧して弾性変形させることにより果実を絞り、搾り出した果汁(15)を前記環状凹部(2a)に貯留させるように構成し、
更に、前記カップ容器(1)は、該カップ容器の直径方向に関して、一方の側に分厚い把手(10)を形成すると共に、他方の側に注出部(11)を形成しており、
前記注出部(11)は、前記環状凹部(2a)から上部開口部(4)に至り、周壁(3)を外側に山折り状に折曲形成することにより樋状溝(12)を構成して成ることを特徴とする果汁搾出用容器。
【請求項２】
前記底壁(2)は、中高状に形成された中心部の底面に隆起部(5)を形成して成ることを特徴とする請求項１に記載の果汁搾出用容器。
【請求項３】
前記注出部(11)は、上部開口部(4)に臨む樋状溝(12)に嘴部(13)を形成して成ることを特徴とする請求項１又は２に記載の果汁搾出用容器。
【考案の詳細な説明】
【技術分野】
【０００１】
本考案は、レモン等の果実を絞ることにより果汁を搾出するための容器に関する。
【背景技術】
【０００２】
従来、レモンやオレンジ等の果実を絞ることにより果汁を生成するための果実絞り器は、皿体の底壁から円錐形の突隆部を突設し、切断した果実の切断面を前記突隆部に圧接し、果実を圧搾するように構成したものが公知である。
【先行技術文献】
【特許文献】
【０００３】
【特許文献１】実用新案登録第２５６８４５１号公報
【考案の概要】
【考案が解決しようとする課題】
【０００４】
従来の果実絞り器は、円錐形の突隆部により果実の内部を表皮の近くまで切削するものであるから、十分な量の果汁を搾出できる反面、果汁に果肉が混入するという問題がある。
【０００５】
それ以上に、果実絞り器の生産コストが高く、しかも、生成した果汁を飲用又は調理等に供する際に、別の容器に貯留させる必要があり、不便である。
【課題を解決するための手段】
【０００６】
本考案は、上記課題を解決した果汁搾出用容器を提供するものであり、その手段として構成したところは、柔軟な弾性材で一体成形することにより底壁と周壁を備えた上部開口状のカップ容器であり、底壁の内径Ｄ１と上部開口部の内径Ｄ２に対して、前記周壁の高さ方向の中間部に位置する中間壁の内径Ｄ３をＤ３＜Ｄ１かつＤ３＜Ｄ２となるように形成すると共に、該中間壁を底壁と上部開口部に向けて湾曲形成し、前記中間壁は、横断面に関して、外側に折曲された山折り部と、内側に折曲された谷折り部を、周方向に交互に配列した蛇腹壁を形成することにより、前記内径Ｄ３を弾性的に拡径自在とするように構成され、前記底壁の内面は、中心部が高くなる中高状に湾曲形成され、該中心部の周囲に環状凹部を形成しており、切断された果実の切断面を前記底壁に向けて、前記中間壁の拡径を介して、カップ容器に挿入した状態で、前記中間壁を外部から押圧して弾性変形させることにより果実を絞り、搾り出した果汁を前記環状凹部に貯留させるように構成し、更に、前記カップ容器は、該カップ容器の直径方向に関して、一方の側に分厚い把手を形成すると共に、他方の側に注出部を形成しており、前記注出部は、前記環状凹部から上部開口部に至り、周壁を外側に山折り状に折曲形成することにより樋状溝を構成して成る点にある。
【０００７】
本考案の好ましい実施形態において、前記底壁は、中高状に形成された中心部の底面に隆起部を形成している。また、前記注出部は、上部開口部に臨む樋状溝に嘴部を形成している。
【考案の効果】
【０００８】
請求項１に記載の本考案によれば、レモンやオレンジ等の果実１４を直径方向に切断し、切断面１４ａを底壁２に向けてカップ容器１に挿入し、中間壁６を外部から押圧することにより、簡便に果汁を搾り出すことができる。果実１４を開口部４から挿入する際、蛇腹壁９を介して中間壁６を弾性的に拡径しながら挿入され、挿入後は、中間壁６がクビレ状に復元し、蛇腹壁９を果実１４の球状面１４ｂに対面状に臨ませるので、この状態で、例えば、ユーザの手指により周壁３を握り絞め、中間壁６を外部から押圧して弾性変形させると、切断面１４ａから搾り出される果汁１５が環状凹部２ａに貯留される。この際、中間壁６は、クビレ状に形成されており、上から下に向けて果実１４の球状面１４ｂを圧搾するので、果実１４が上方に跳び出すおそれはない。しかも、果実１４を圧搾する中間壁６は、蛇腹壁９により形成された凹凸条を果実１４の表面に圧接するので、果実の全周面を好適に押圧することができ、これにより果汁を搾り出す。
【０００９】
そして、底壁２の環状凹部２ａに貯留された果汁１５は、ユーザが手指により把手１０を把持することによりカップ容器１を傾ければ、環状凹部２ａに沿って樋状溝１２の近傍に集められ、注出部１１の嘴部１３から注ぎ出される。この際、環状凹部２ａから嘴部１３に向けて樋状溝１２が形成されているので、貯留された果汁が少量であっても、環状凹部２ａに沿って樋状溝１２に向けて集められ、該樋状溝１２をガイドとして、嘴部１３に向けて好適に案内される。また、カップ容器１は、周壁３を柔軟性のある薄肉に形成されているが、把手１０は分厚く形成されているので、把手１０を把持した状態で、カップ容器１の全体が原形を保持し、これにより果汁の注ぎ出しを良好に行うことを可能とする。
【００１０】
請求項２に記載の本考案によれば、前記圧搾作業中、果実１４が押し下げられ、切断面１４ａを底壁２に圧接するが、底壁２の中心部に隆起部５が設けられているので、周囲の環状凹部２ａを凹形状に保形し、搾り出された果汁１５を好適に環状凹部２ａに貯留させることができる。
【００１１】
請求項３に記載の本考案によれば、注出部１１が嘴部１３を設けているので、果汁１５の注ぎ出しを終えて、カップ容器１を直立姿勢に戻したとき、果汁が垂れることはなく、所謂水切りが良好となる。
【図面の簡単な説明】
【００１２】
【図１】本考案の１実施形態に係る果汁搾出用容器の外観を示し、（Ａ）は平面図、（Ｂ）は側面図である。
【図２】本考案の１実施形態に係る果汁搾出用容器の断面を示し、（Ａ）は図１（Ａ）のＡ−Ａ線断面図、（Ｂ）は図１（Ｂ）のＢ−Ｂ線断面図である。
【図３】本考案の１実施形態に係る果汁搾出用容器の断面を示し、（Ａ）は図２（Ｂ）のＣ−Ｃ線断面図、（Ｂ）は果汁を生成する際の作用を示す断面図である。
【図４】カップ容器に貯留した果汁を注ぎ出す作用を示す断面図である。
【考案を実施するための形態】
【００１３】
以下図面に基づいて本考案の好ましい実施形態を詳述する。
【００１４】
本考案の果汁搾出用容器は、図１ないし図３に示すように、シリコンゴム等の柔軟性の高い弾性材により一体成形された上部開口状のカップ容器１により構成されている。
【００１５】
カップ容器１は、円板状の底壁２と、該底壁２の周縁から起立する円筒状の周壁３を備え、上部に開口部４を有しており、全体が柔軟性を有して弾性変形自在である。
【００１６】
前記底壁２の内面は、中心部を高くした中高状に湾曲形成され、該中心部の周囲に環状凹部２ａを形成し、該中心部の底面に球面状の隆起部５を形成している。
【００１７】
図３（Ａ）に示すように、前記周壁３は、高さ方向の中間部を縮径することによりクビレ状の中間壁６を形成している。即ち、底壁２の内径Ｄ１と開口部４の内径Ｄ２に対して、中間壁６の内径Ｄ３をＤ３＜Ｄ１かつＤ３＜Ｄ２となるように形成され、該中間壁６を底壁２と開口部４に向けて湾曲形成している。
【００１８】
前記中間壁６は、図２（Ｂ）に示すように、横断面に関して、外側に折曲された山折り部７と、内側に折曲された谷折り部８を、周方向に交互に配列した蛇腹壁９を形成しており、該蛇腹壁９の伸縮を介して、前記中間壁６が内径Ｄ３を弾性的に拡径自在とするように構成されている。この際、蛇腹壁９を構成する山折り部７及び谷折り部８は、中間壁６の上下方向に延びるが、図１（Ｂ）に示すように、周壁３の下端近傍部及び上端近傍部までは至らず、これにより蛇腹壁９を有しない周壁３の下側壁３ａと上側壁３ｂが形成されている。
【００１９】
カップ容器１は、直径方向に関して、一方の側に分厚い把手１０を形成すると共に、他方の側に注出部１１を形成しており、該注出部１１は、底壁２に形成された環状凹部２ａから開口部４に至り、周壁３を外側に山折り状に折曲形成することにより樋状溝１２を構成し、該樋状溝１２を開口部４に臨ませることにより嘴部１３を形成している。
【００２０】
上述のようにカップ容器１は、シリコンゴム等の柔軟な弾性材により一体成形され、底壁２を比較的厚肉（例えば２．０ｍｍ）に形成するが、周壁３を薄肉（例えば１．２ｍｍ）に形成しており、従って、周壁３は、ユーザが手指で保持するだけで凹曲するような柔軟性を有する。
【００２１】
本考案の果汁搾出用容器によれば、レモンやオレンジ等の果実を直径方向に切断し、切断面を底壁２に向けてカップ容器１に挿入し、中間壁６を外部から押圧することにより、簡便に果汁を搾り出すことができる。
【００２２】
例えば、レモンの場合、カップ容器１は、底壁２の内径Ｄ１がレモン１４の切断面１４ａの外径にほぼ適合するように形成されている。そこで、図３（Ｂ）に示すように、レモン１４の切断面１４ａを底壁２に向けてカップ容器１に挿入する。この際、開口部４から挿入されたレモン１４は、蛇腹壁９を介して中間壁６を弾性的に拡径しながら挿入され、切断面１４ａを底壁２に当接する。挿入後は、中間壁６がクビレ状に復元し、蛇腹壁９をレモン１４の球状面１４ｂに対面状に臨ませる。
【００２３】
この状態で、例えば、ユーザの手指により周壁３を握り絞め、図示矢印Ｐで示すように、中間壁６を外部から押圧して弾性変形させると、レモン１４が絞られ、切断面１４ａから搾り出される果汁を環状凹部２ａに貯留する。この際、中間壁６は、クビレ状に形成されており、上から下に向けてレモン１４の球状面１４ｂを圧搾するので、レモン１４が上方に跳び出すおそれはない。しかも、レモン１４を圧搾する中間壁６は、蛇腹壁９により形成された凹凸条をレモン１４の表面に圧接するので、レモン１４の全周面を好適に押圧することができ、これにより果汁を搾り出す。この圧搾作業中、レモン１４が押し下げられ、切断面１４ａを底壁２に圧接するが、底壁２の中心部に隆起部５が設けられているので、周囲の環状凹部２ａを凹形状に保形し、搾り出された果汁１５を環状凹部２ａに貯留させる。
【００２４】
搾り出し作業を終え、レモン１４をカップ容器１から取り出した後、底壁２の環状凹部２ａに貯留された果汁１５は、図４に示すように、ユーザが手指により把手１０を把持することによりカップ容器１を傾ければ、環状凹部２ａに沿って樋状溝１２の近傍に集められ、注出部１１の嘴部１３から注ぎ出される。上述のように、環状凹部２ａから嘴部１３に向けて樋状溝１２が形成されているので、貯留された果汁が少量であっても、環状凹部２ａに沿って樋状溝１２に向けて集められ、該樋状溝１２に沿って嘴部１３に向けて好適に案内される。しかも、注出部１１に嘴部１３を設けているので、果汁１５の注ぎ出しを終えて、カップ容器１を直立姿勢に戻したとき、果汁が垂れることはなく、所謂水切りが良好である。
【００２５】
上述のように、カップ容器１は、周壁３を柔軟性のある薄肉に形成されているが、把手１０は分厚く形成されているので、把手１０を把持した状態で、カップ容器１の全体が原形を保持し、これにより果汁の注ぎ出しを良好に行うことを可能とする。
【符号の説明】
【００２６】
１  カップ容器
２  底壁
２ａ  環状凹部
３  周壁
４  開口部
５  隆起部
６  中間壁
７  山折り部
８  谷折り部
９  蛇腹壁
１０  把手
１１  注出部
１２  樋状溝
１３  嘴部
１４  果実（レモン）
１５  果汁
【図１】
0003155977.tif 000003
【図２】
0003155977.tif 000004
【図３】
0003155977.tif 000005
【図４】
0003155977.tif 000006